(57)【要約】【課題】  最も発光効率よくＬＥＤを駆動できるようにする。【解決手段】  予めＬＥＤの発光効率が最もよくなるときの順方向電流の値（最良電流値）とそのときの発光量の値（所定値）とを割り出しておく。発光量の目標値が上記所定値未満であれば駆動電流値は上記最良電流値で一定とし、駆動電流のON/OFFを制御するＷＭ制御を行う。また、上記所定値以上であれば、連続的に供給する駆動電流の値を変化させる電流値制御を行う。これによって最も発光効率良くＬＥＤを駆動することが可能となる。【選択図】図４
2006135297.tif 000002
【特許請求の範囲】
【請求項１】
ＬＥＤを発光駆動する駆動手段と、
上記駆動手段が上記ＬＥＤに対して供給する駆動電流について制御を行う制御手段として、上記ＬＥＤの発光量についての目標値が、内部に記憶された所定値未満の場合は、上記駆動電流のオン／オフ比率を制御することで発光量制御を行い、上記目標値が上記所定値以上の場合には上記駆動電流のレベルを制御することで発光量制御を行う制御手段と、
を備えることを特徴とするＬＥＤ駆動装置。
【請求項２】
上記所定値は、上記ＬＥＤの発光効率が最も良くなるときの駆動電流値から求められる発光量に基づいて設定されることを特徴とする請求項１に記載のＬＥＤ駆動装置。
【請求項３】
上記制御手段による、上記駆動電流のオン／オフ比率を制御する発光量制御では、駆動電流のレベルを上記ＬＥＤの発光効率が最も良くなるときの駆動電流値で一定とするようにされている、
ことを特徴とする請求項１に記載のＬＥＤ駆動装置。
【請求項４】
上記制御手段は、上記目標値と上記オン／オフ比率、及び上記目標値と上記駆動電流値についての対応情報が内部に記憶されると共に、この対応情報において上記目標値と対応づけられた上記オン／オフ比率、又は上記駆動電流値を設定することで上記発光量制御を行うようにされる、
ことを特徴とする請求項１に記載のＬＥＤ駆動装置。
【請求項５】
さらに、上記ＬＥＤによる発光量を検出する発光量検出手段を備えると共に、
上記制御手段は、上記発光量検出手段より検出入力される発光量の値が上記目標値となるように、上記オン／オフ比率又は上記駆動電流値を制御することで上記発光量制御を行うようにされる、
ことを特徴とする請求項１に記載のＬＥＤ駆動装置。
【請求項６】
ＬＥＤについての発光量制御を行う発光量制御方法として、
上記ＬＥＤの発光量についての目標値が所定値未満の場合は、上記駆動電流のオン／オフ比率を制御することで発光量制御を行い、上記目標値が上記所定値以上の場合には上記駆動電流のレベルを制御することで発光量制御を行う、
ことを特徴とする発光量制御方法。
【発明の詳細な説明】
【技術分野】
【０００１】
本発明はＬＥＤ駆動装置と発光量制御方法に関する。
【背景技術】
【０００２】
例えば、液晶ディスプレイ装置等、自発光型でないディスプレイ装置においてはバックライトが備えられている。このようなバックライトとしては、その光源として例えば冷陰極管等を用いたものが知られている。また、近年では、消費電力がより少ないとされるＬＥＤ（Light Emitting Diode）を用いたものも知られている。
【０００３】
このようなＬＥＤを用いたバックライトにおいて、その発光量の制御方法としては、ＬＥＤに供給される駆動電流のレベルを制御するようにされた電流値制御と、駆動電流レベルは一定としてＰＷＭ制御を行うようにされたものが知られている。
上記電流値制御としては、ＬＥＤに対して連続的に供給される駆動電流のレベル自体を変化させて、目標の発光量を得るようにされる。また、上記ＰＷＭ制御では、単位時間あたりの駆動電流のオン／オフ比率を変化させることで、所望の発光量を得るようにされる。
【０００４】
なお、関連する従来技術については以下の特許文献を挙げることができる。
【特許文献１】特開平４−１３４４８６号公報
【発明の開示】
【発明が解決しようとする課題】
【０００５】
ここで、ＬＥＤとしては、駆動電流の値によってその発光効率が変化することが知られている。
このことについて、以下の図７〜図９を参照して説明する。
先ず、図７、図８はそれぞれ或るＬＥＤについて、図７では順方向電圧と順方向電流との関係をグラフ化して示し、図８では順方向電圧と発光量との関係をグラフ化して示している。すなわち、図７によっては、ＬＥＤに対して或る値の順方向電流を流した際の順方向電圧の値が示されている。また、図８によっては、或る値の順方向電流を流した際に得られる発光量の値が示されているものである。
【０００６】
ここで、発光効率としては、発光量÷入力電力により求められるものである。従って、このＬＥＤについての発光効率としては、図７のグラフにおいて或る順方向電流値とこれに対応した順方向電圧値とを乗算して入力電力とし、図８において順方向電流値を元にこの入力電力に応じた発光量の値を得ることで、発光量÷入力電力を演算して求めることができる。
【０００７】
図９は、このようにして求めることができる発光効率と、順方向電流の値との関係をグラフ化して示している。
図示するように、このＬＥＤでは、順方向電流が５０ｍＡ〜１００ｍＡにかけて発光効率が向上し、１００ｍＡ以上では発光効率が低下する傾向となっており、１００ｍＡ付近で最大の発光効率が得られている。
このことから理解されるように、ＬＥＤでは順方向電流（駆動電流）の値に応じて、発光効率が変化する特性となる。具体的には、或るレベルの駆動電流値までは発光効率が上昇傾向となり、このレベルを超えると発光効率は低下傾向となる。
【０００８】
このようにして発光効率が駆動電流の値に応じて変化するものとされていることで、上述した電流値制御、ＰＷＭ制御の各手法により発光量制御を行うＬＥＤ駆動装置では、以下のような問題が生じる。
先ず、電流値制御では、例えば発光量制御の目標値が、図９に示したような最も発光効率の良い電流値に対応した値とされる場合は最も発光効率良く駆動することができるが、その値と目標値とは必ずしも一致するものではないことから、発光効率の低い条件によりＬＥＤが駆動されてしまう可能性がある。
また、ＰＷＭ制御については、一定の電流値でON／OFFを制御するようにされることから、必然的にこの一定の電流値は発光量制御範囲における最大値に対応した値が設定されることになる。
このような発光量制御範囲における最大の電流値としても、上記のような最も発光効率の良い電流値と必ずしも一致するものではないことから、この場合も発光効率の低い条件でＬＥＤが駆動されてしまう可能性があることになる。
【０００９】
発光効率の低い条件でＬＥＤが駆動されてしまうということは、本来必要とされる入力電力以上の電力を要するということになるため、消費電力の増大化につながる。また、発光効率の低い条件でＬＥＤが駆動されれば、ＬＥＤやその駆動回路、さらには電源部の発熱量も増大傾向となり、例えばこの発熱対策のために装置の小型化が図られない等の問題も生じる。
【課題を解決するための手段】
【００１０】
そこで、本発明では以上のような問題点に鑑み、ＬＥＤ駆動装置として以下のように構成することとした。
つまり、先ず、ＬＥＤを発光駆動する駆動手段を備える。
そして、上記駆動手段が上記ＬＥＤに対して供給する駆動電流について制御を行う制御手段として、上記ＬＥＤの発光量についての目標値が、内部に記憶された所定値未満の場合は、上記駆動電流のオン／オフ比率を制御することで発光量制御を行い、上記目標値が上記所定値以上の場合には上記駆動電流のレベルを制御することで発光量制御を行う制御手段を備えるようにした。
【００１１】
また、本発明では発光量制御方法として以下のようにすることとした。
すなわち、ＬＥＤについての発光量制御を行う発光量制御方法として、上記ＬＥＤの発光量についての目標値が所定値未満の場合は、上記駆動電流のオン／オフ比率を制御することで発光量制御を行い、上記目標値が上記所定値以上の場合には上記駆動電流のレベルを制御することで発光量制御を行うようにした。
【００１２】
上記本発明によれば、発光量の目標値に応じて、ＬＥＤについての駆動制御が先に述べた電流値制御とＰＷＭ制御とで切り替えられることになる。つまり、このような構成によれば、上記目標値が、ＬＥＤの発光効率が最も良くなるときの発光量未満の場合はＰＷＭ制御、それ以上の場合は電流値制御に切り替えるといったことが可能となる。
このような発光量制御が可能となれば、上記目標値が上記所定値未満の場合には、上記ＬＥＤの発光効率が最も良くなるときの駆動電流レベルで一定としたＰＷＭ制御を行うことが可能となり、これによって最も発光効率よくＬＥＤを駆動することができる。
また、上記目標値が上記所定値以上の場合には、上記電流値制御とされることで、最も少ない電力で所望の発光量を得ることができる。つまり、このように目標値が所定値以上とされる場合にＰＷＭ制御を行う場合には、駆動電流レベルは必然的に電流値制御を行う場合よりも大きく設定する必要があり、その分、先の図９の特性図からわかるように発光効率がより低い条件でＬＥＤを駆動することになることから、この場合は電流値制御とすることで最も発光効率よくＬＥＤを駆動することが可能となる。
【発明の効果】
【００１３】
このようにして本発明によれば、発光量の目標値に応じて発光量制御をＰＷＭ制御と電流値制御とで切り替えるようにしたことで、ＬＥＤを最も発光効率よく駆動することが可能となる。
そして、これによれば、ＬＥＤ駆動のための消費電力は最小限に抑えることができ、また、ＬＥＤやその駆動回路、さらには電源部の発熱量も最小限に抑えることが可能となって装置の小型化も図られる。
【発明を実施するための最良の形態】
【００１４】
以下、発明を実施するための最良の形態（以下実施の形態とする）について説明していく。
先ずは、図１を参照して、実施の形態のＬＥＤ（Light Emitting Diode）駆動装置が備えられる液晶ディスプレイ装置の構成の一例について説明しておく。
図１において、この液晶ディスプレイ装置に対しては、図示するＡＣ電源入力端子ｔACからＡＣ電源が入力される。
電源回路６は、このＡＣ電源入力端子ｔACからのＡＣ電源を入力して直流電圧を生成する。そして、生成した直流電圧を図示する直流電源として信号処理回路７、パネル駆動回路８、コントローラ２、及びＬＥＤ駆動回路３に対して供給するようにされる。
【００１５】
また、映像入力端子ｔvからは映像信号が入力され、この映像信号は信号処理回路７に供給される。信号処理回路７は、供給される映像信号に対して所要の信号処理を施すことで液晶パネル５の駆動制御に必要な信号を得る。
信号処理回路７は、パネル駆動制御に必要な信号をパネル駆動回路８に対して供給する。パネル駆動回路８はこの信号に基づいて液晶パネル５を駆動制御するようにされる。
また、信号処理回路７は、入力される映像信号から輝度信号を抽出しこれをコントローラ２に対して供給する。
【００１６】
コントローラ２は、例えばＣＰＵ（Central Processing Unit）、ＲＯＭ（Read Only Memory）、ＲＡＭ（Randam Access Memory）等を備えたマイクロコンピュータとされ、当該液晶ディスプレイ装置の全体制御を行う。
この場合のコントローラ２は、上記のようにして信号処理回路７から供給される輝度信号に基づき算出したＡＰＬ（平均輝度）の情報に応じ、バックライト４内に備えられるＬＥＤ４ａの発光量を調整するための制御を行うようにされている。このようなＡＰＬの情報に基づいた発光量制御としては、ＡＰＬが所定以下のときに、バックライトの発光量を予め定められた値（例えば１／１０など）に下げることで、高コントラストを実現するようにして行うようにされる。
【００１７】
また、これと共にコントローラ２は、図示するユーザインタフェース（Ｉ／Ｆ）９を介したユーザ操作に応じても、バックライト４内のＬＥＤ４ａの発光量を調整するための制御を行うようにされる。
ユーザインタフェース９は、当該液晶ディスプレイ装置の筐体外面に設けられた操作子又はリモートコントローラからのコマンド信号の受信を行うコマンド受信部を包括的に示している。ユーザは、例えば上記筐体外面に設けられた明るさ調整用のつまみ操作子を操作することで、当該液晶ディスプレイ装置に対してバックライト４での発光量を指示入力できるようにされる。或いは、液晶パネル５としての表示画面上に表示した設定メニュー画面から明るさ調整の項目を選択し、その画面の指示に従った操作入力を行うことでバックライト４での発光量を指示入力できるようにされる。
コントローラ２は、このようなユーザインタフェース９を介したユーザの指示入力が行われた場合はその指示入力情報に応じても、バックライト４での発光量についての制御を行うようにされている。
【００１８】
図２は、図１に示した構成のうち、このようなバックライト４内のＬＥＤ４ａの発光量制御に係る部分の構成を抽出して示したブロック図である。
この図２において、先ずＬＥＤ駆動回路３は、図１に示した電源回路６からの直流電源が供給され、この直流電源に基づいてバックライト４内に備えられるＬＥＤ４ａに対して駆動電流を供給するようにされる。
この場合のＬＥＤ駆動回路３には、電流値制御端子ｔ１とON/OFF制御端子ｔ２とが備えられている。それぞれの端子には、図示するようにコントローラ２からの制御信号が供給される。そして、後述する構成により、上記電流値制御端子ｔ１に供給される制御信号に応じてＬＥＤ４ａに対して供給する駆動電流レベルを変化させる。また、ON/OFF制御端子ｔ２に供給される制御信号に応じては、駆動電流レベルを一定とした上でそのON/OFFタイミングを変化させる。
【００１９】
なお、この図２にも示されているように、この場合はコントローラ２とＬＥＤ駆動回路３とが第１の実施の形態としてのＬＥＤ駆動装置１を構成する。
【００２０】
コントローラ２は、図１にも示した信号処理回路７からの輝度信号に応じて算出したＡＰＬの情報と、ユーザインタフェース９からの上記した明るさ調整についての指示入力があった場合はその指示入力値とに応じて、ＬＥＤ４ａの発光量についての目標値を設定するようにされる。そして、この目標値に応じた発光量が得られるように、上記したＬＥＤ駆動回路３の電流値制御端子ｔ１、又はON/OFF制御端子ｔ２に制御信号を供給する。
【００２１】
ここで、実施の形態のコントローラ２に対しては、予め上記ＬＥＤ４ａについての発光効率が最も良くなるときの順方向電流の値（駆動電流レベル）と、その順方向電流値により得られる発光量の値（所定値）の情報とが記憶されている。
そして、後述もするが、このように記憶された所定値としての発光量の値と、上記のようにして設定した目標値とを比較した結果に基づいて、上記電流値制御端子ｔ１への制御信号の供給による発光量制御（電流値制御）と、上記ON/OFF制御端子ｔ２への制御信号の供給による発光量制御（ＰＷＭ制御）とを切り替えるようにされている。
【００２２】
また、第１の実施の形態の場合、コントローラ２のＲＯＭ内には、発光量の目標値ごとに対応づけて、その発光量を得るための駆動電流値の情報、及び駆動電流のON/OFF比率の情報がそれぞれ記憶されている。
すなわち、この場合のコントローラ２として、上記電流値制御を行うとした場合は、設定した目標値と上記のような対応情報とから該当する駆動電流値の情報を取得し、この電流値の情報をＬＥＤ駆動回路３の電流値制御端子ｔ１に供給することで発光量制御を行うようにされる。このような電流値制御を行う場合には、ON/OFF制御端子ｔ２に供給する制御信号としては、駆動電流の供給をONとするためのON制御信号を供給するようにされる。
また、上記したＰＷＭ制御を行う場合は、設定した目標値と上記対応情報とから該当するON/OFF比率の情報を取得し、これに基づいたON/OFF制御信号を上記ON/OFF制御端子ｔ２に供給することで発光量制御を行うようにされる。このＰＷＭ制御を行う場合、上記電流値制御端子ｔ１に供給する電流値の情報は、上述したＬＥＤ４ａについての発光効率が最も良くなるときの順方向電流の値で一定とするようにされる。
なお、この場合、ＰＷＭ制御における上記ON/OFF比率の情報は、ONとOFFとの期間の和を１とした場合のONの比率が、発光量の目標値を上記した所定値としての発光量の値で割った値と同じとなるようにされている。
【００２３】
図３は、図２に示されるＬＥＤ駆動回路３の内部構成を示している。
先ず、コンデンサＣｉの両端には、図２に示した直流電源が供給されることで直流電圧が得られている。そして、図示するスイッチング素子Ｑ１、ダイオードＤ１、チョークコイルＬ１により、このコンデンサＣｉの両端電圧を動作電源とする降圧形コンバータが形成されている。この降圧形コンバータの動作により、図示する平滑コンデンサＣｏの両端に直流電圧によるＬＥＤ駆動電圧が生成され、これによって図２に示したＬＥＤ４ａには直流による駆動電流が供給される。
なお、この場合、スイッチング素子Ｑ１としてはＭＯＳ−ＦＥＴが採用される。
【００２４】
上記スイッチング素子Ｑ１は、制御回路１２により駆動・制御される。
制御回路１２には、図示するようにON/OFF制御端子ｔ２からのON/OFF制御信号が供給され、このON/OFF制御信号に基づいてスイッチング素子Ｑ１をON/OFF駆動するようにされる。
また、制御回路１２には、図示するエラーアンプ（Ｅ／Ａ）１１からのフィードバック信号が入力されている。
このエラーアンプ１１には、図示するようにＬＥＤ駆動電圧の出力ラインに対して挿入された電流検出抵抗Ｒ１より、ＬＥＤ４ａに供給される駆動電流レベルが検出入力される。また、これと共に、図２にも示した電流値制御端子ｔ１を介して入力されて、図示するＤ／Ａコンバータ１０にてアナログ変換された電流値制御信号も入力される。エラーアンプ１１は、これら入力される駆動電流レベルと電流値制御信号のレベルとの差分に応じた信号を出力するようにされる。
制御回路１２は、このようなエラーアンプ１２からの出力信号に応じてスイッチング素子Ｑ１の動作を制御することで、ＬＥＤ４ａに対して供給される駆動電流レベルが、上記電流値制御端子ｔ１に供給される電流値制御信号の値で一定となるように制御を行う。
【００２５】
ここで、先にも説明したように、ＬＥＤとしては、供給される駆動電流（順方向電流）のレベルに応じて発光効率が変化するものとされている。すなわち、先の図９にも示したようにして、順方向電流の或る値までは発光効率が上昇傾向となり、その値を超えると発光効率は低下傾向となるようにされている。
このように順方向電流の値に応じて発光効率が変化してしまうことで、上記した電流値制御、ＰＷＭ制御では、先にも述べたように発光効率の低い条件でＬＥＤ４ａが駆動されてしまう可能性があった。
【００２６】
そこで、本実施の形態としては、図９の特性図のようにＬＥＤ４ａについての順方向電流の値と発光効率の関係について実験を行った結果より、発光効率が最もよくなるときの順方向電流の値（最良電流値）とそのときの発光量の値（所定値）を予め割り出しておき、この所定値による発光量未満でＬＥＤ４ａを発光駆動するときは、駆動電流を上記最良電流値とした上でＰＷＭ制御による発光量制御を行い、上記所定値による発光量以上で発光駆動するときは電流値制御を行うものとしている。
【００２７】
このようにすることで、上記所定値未満の発光量によりＬＥＤ４ａを発光駆動する場合には、常に一定の上記最良電流値によりＬＥＤ４ａを駆動することが可能となり、従って最も発光効率の良い条件でＬＥＤ４ａを駆動することができる。
また、所定値以上の発光量によりＬＥＤ４ａを発光駆動する場合としても、最も発光効率良くＬＥＤ４ａを駆動することができる。つまり、仮に、上記所定値以上の発光量のときもＰＷＭ制御を維持するとした場合は、ＰＷＭ制御による一定の駆動電流のレベルは、電流値制御を行う場合の駆動電流レベルよりも必然的に高いレベルとしなければならず、これによれば、先の図９の特性からも理解されるように発光効率はその分低下するものとなってしまう。従って、このように所定値以上の発光量により駆動する場合は、電流値制御を行う方が最も発光効率が良い条件でＬＥＤ４ａを駆動することができるものである。
【００２８】
このように、実施の形態の発光量制御によれば、常に発光効率が最も良い条件でＬＥＤ４ａを駆動できる。そして、これによれば、ＬＥＤ４ａの駆動のための消費電力は最小限に抑えることができる。また、最も発光効率が良い条件でＬＥＤ４ａを発光駆動できれば、ＬＥＤ４ａ自体やＬＥＤ駆動回路３、さらにはＬＥＤ駆動回路３に対して直流電源を供給する電源回路６（図１参照）の発熱量も最小限に抑えることが可能となって、発熱対策のために装置が大型化するといったことも防止できる。
【００２９】
図４は、上記した第１の実施の形態としての動作を実現するための処理動作を示したフローチャートである。
なお、図４に示される処理動作は、コントローラ２が例えば内蔵するＲＯＭ等に格納されるプログラムに基づいて実行するものである。
【００３０】
図４において、先ずステップＳ１０１では、設定した目標値と、上記した所定値とを比較する処理を実行する。
そして、ステップＳ１０２では、上記ステップＳ１０１による比較処理の結果、上記目標値が上記所定値未満であるか否かについて判別処理を行うようにされる。
【００３１】
ステップＳ１０２において、目標値が上記所定値未満であるとして肯定結果が得られた場合は、ステップＳ１０３に処理を進めて、ＰＷＭ制御を設定するための処理を実行する。すなわち、ＰＷＭ制御として、駆動電流値を上記した最良電流値で一定としてON/OFF制御を行うために、先ずはＬＥＤ駆動回路３における電流値制御端子ｔ１に対して上記最良電流値を指示するための電流値制御信号を供給する。
その上で、ステップＳ１０４においては、目標値としての発光量に応じたON/OFF比率を設定する。つまり、例えばＲＯＭ等に格納される対応情報から入力された目標値に対応づけられたON/OFF比率の情報を読み出し、この比率情報に基づいたON/OFF制御信号をON/OFF制御端子ｔ２に供給することで、ＰＷＭ制御による発光量制御を行うものである。
【００３２】
また、ステップＳ１０２において、目標値が上記所定値未満ではない（目標値が所定値以上である）として否定結果が得られた場合は、ステップＳ１０５において、電流値制御を設定するための処理を実行する。つまり、電流値制御として、駆動電流を連続的に供給するために、先ずはON/OFF制御端子ｔ２に対してON制御信号を供給するものである。
その上で、ステップＳ１０６においては、目標値としての発光量に応じた電流値を設定する。つまり、上記した対応情報から入力された目標値に対応づけられた電流値の情報を読み出し、この電流値の情報に基づいた電流値制御信号を電流値制御端子ｔ１に対して供給することで、電流値制御による発光量制御を行うものである。
このような処理動作によって、発光量が所定値未満のときはＰＷＭ制御により発光量制御を行い、所定値以上のときは電流値制御を行うことが可能となる。
【００３３】
続いて、図５には、本発明における第２の実施の形態としてのＬＥＤ駆動装置２０の構成を示す。
第２の実施の形態のＬＥＤ駆動装置２０としては、上述した実施の形態としての発光量制御の切り替えを行うとした上で、図２に示したＬＥＤ駆動装置１の構成に加えて、図示する発光量センサ２１を設けるようにしている。この発光量センサ２１としては、ＬＥＤ４ａの発光量を検出するようにして、バックライト４内の所定位置に対して設けられる（先の図１においては破線により示した）。
そして、この発光量センサ２１により検出された発光量の情報はコントローラ２に対して入力されるようになっている。
【００３４】
この場合のコントローラ２としては、先に説明したようにして信号処理回路７からの輝度信号やユーザインタフェース９からの指示入力に応じて設定した発光量についての目標値と共に、上記発光量センサ２１から検出入力される発光量の値とに基づいて、ＬＥＤ４ａの発光量制御を行うようにされる。
つまり、発光量センサ２１から検出入力される発光量の値と、上記目標値とが一致するように、電流値制御端子ｔ１に供給する電流値制御信号、又はON/OFF制御端子ｔ２に供給するON/OFF制御信号を変化させることで発光量制御を行うようにされる。
【００３５】
このようにして、実測されるＬＥＤ４ａの発光量の値に基づいて発光量制御が行われることで、例えばＬＥＤ４ａ間で同じ順方向電流値に対する発光量のバラツキが生じる場合にも、より正確に目標値としての発光量が得られるように制御を行うことが可能となる。
すなわち、これにより、各装置間でＬＥＤ４ａの発光量にバラツキが生じることを効果的に防止することができる。
【００３６】
図６は、このような第２の実施の形態のＬＥＤ駆動装置２０としての動作を実現するための処理動作について示したフローチャートである。
なお、この図に示される処理動作としても、コントローラ２が内蔵するＲＯＭ等に格納されるプログラムに基づいて実行するものである。
先ず、この場合も、ステップＳ２０１・Ｓ２０２では、先の図４に示したステップＳ１０１・Ｓ１０２の処理と同様に、目標値と所定値との比較、及びその結果から目標値が所定値未満であるか否かについての判別処理を実行するようにされる。
そして、目標値が所定値未満で肯定結果が得られた場合は、ステップＳ２０３の処理として、この場合も先のステップＳ１０３と同様にＰＷＭ制御を設定するための処理を実行する。また、目標値が所定値未満ではないとして否定結果が得られた場合は、ステップＳ２０５において、先のステップＳ１０５と同様に電流値制御を設定するための処理を実行するようにされる。
【００３７】
そして、この場合、ＰＷＭ制御を設定した後のステップＳ２０４においては、センサ値と目標値とが一致するように、ON/OFF比率を制御するための処理を実行する。つまり、設定した目標値と、発光量センサ２１からの発光量の値とが一致するように、ＬＥＤ駆動回路３のON/OFF制御端子ｔ２に供給するON/OFF制御信号の比率を制御する。
また、電流値制御を設定した後のステップＳ２０６では、センサ値と目標値とが一致するように電流値を制御する処理を実行する。すなわち、設定した目標値と発光量センサ２１からの発光量の値とが一致するように、ＬＥＤ駆動回路３の電流値制御端子ｔ１に供給する電流値制御信号を制御するものである。
【００３８】
このような処理動作とされることで、この場合は実施の形態としてのＰＷＭ制御／電流値制御の切り替えを行いつつ、発光量としては実測された値に基づいてより精度良く制御することが可能となる。
【００３９】
なお、本発明としては、これまでに説明した各実施の形態の構成に限定されるべきものではない。
例えば実施の形態では、本発明が液晶ディスプレイ装置のバックライトにおけるＬＥＤを発光駆動する場合に適用される例を示したが、その他ＬＥＤについての発光量制御を行う場合に広く適用することができる。
また、実施の形態では、説明の便宜上１つのＬＥＤについて発光駆動する構成を例示したが、複数とされる場合も同様の発光量制御を行うことで同様の効果を得ることができるのは言うまでもない。
【００４０】
また、実施の形態では、発光量についての目標値は映像信号から抽出された輝度信号に基づくＡＰＬの情報やユーザ操作に基づき設定する場合を例示したが、発光量の目標値を設定するための要素はこれらの要素に限定されるものではなく、他の要素に基づいて設定することもできる。
【図面の簡単な説明】
【００４１】
【図１】本発明における実施の形態としてのＬＥＤ駆動装置が備えられる液晶ディスプレイ装置の構成例を示すブロック図である。
【図２】本発明における第１の実施の形態のＬＥＤ駆動装置の構成について示すブロック図である。
【図３】ＬＥＤ駆動回路の内部構成を示す回路図である。
【図４】第１の実施の形態としての動作を実現するための処理動作を示すフローチャートである。
【図５】本発明における第２の実施の形態としてのＬＥＤ駆動装置の構成について示すブロック図である。
【図６】第２の実施の形態としての動作を実現するための処理動作を示すフローチャートである。
【図７】或るＬＥＤについて順方向電圧と順方向電流との関係をグラフ化して示した図である。
【図８】或るＬＥＤについて順方向電圧と発光量との関係をグラフ化して示した図である。
【図９】或るＬＥＤについて順方向電流と発光効率との関係をグラフ化して示した図である。
【符号の説明】
【００４２】
１、２０  ＬＥＤ駆動装置、２  コントローラ、３  ＬＥＤ駆動回路、４  バックライト、４ａ  ＬＥＤ、ｔ１  電流値制御端子、ｔ２  ON/OFF制御端子、９  ユーザインタフェース、１０  Ｄ／Ａコンバータ、１１  エラーアンプ、１２  制御回路、２１  発光量センサ
【図１】
2006135297.tif 000003
【図２】
2006135297.tif 000004
【図３】
2006135297.tif 000005
【図４】
2006135297.tif 000006
【図５】
2006135297.tif 000007
【図６】
2006135297.tif 000008
【図７】
2006135297.tif 000009
【図８】
2006135297.tif 000010
【図９】
2006135297.tif 000011
【手続補正書】
【提出日】平成17年11月16日(2005.11.16)
【手続補正１】
【補正対象書類名】明細書
【補正対象項目名】０００５
【補正方法】変更
【補正の内容】
【０００５】
ここで、ＬＥＤとしては、駆動電流の値によってその発光効率が変化することが知られている。
このことについて、以下の図７〜図９を参照して説明する。
先ず、図７、図８はそれぞれ或るＬＥＤについて、図７では順方向電圧と順方向電流との関係をグラフ化して示し、図８では順方向電流と発光量との関係をグラフ化して示している。すなわち、図７によっては、ＬＥＤに対して或る値の順方向電流を流した際の順方向電圧の値が示されている。また、図８によっては、或る値の順方向電流を流した際に得られる発光量の値が示されているものである。
【手続補正２】
【補正対象書類名】明細書
【補正対象項目名】００２４
【補正方法】変更
【補正の内容】
【００２４】
上記スイッチング素子Ｑ１は、制御回路１２により駆動・制御される。
制御回路１２には、図示するようにON/OFF制御端子ｔ２からのON/OFF制御信号が供給され、このON/OFF制御信号に基づいてスイッチング素子Ｑ１をON/OFF駆動するようにされる。
また、制御回路１２には、図示するエラーアンプ（Ｅ／Ａ）１１からのフィードバック信号が入力されている。
このエラーアンプ１１には、図示するようにＬＥＤ駆動電圧の出力ラインに対して挿入された電流検出抵抗Ｒ１より、ＬＥＤ４ａに供給される駆動電流レベルが検出入力される。また、これと共に、図２にも示した電流値制御端子ｔ１を介して入力されて、図示するＤ／Ａコンバータ１０にてアナログ変換された電流値制御信号も入力される。エラーアンプ１１は、これら入力される駆動電流レベルと電流値制御信号のレベルとの差分に応じた信号を出力するようにされる。
制御回路１２は、このようなエラーアンプ１１からの出力信号に応じてスイッチング素子Ｑ１の動作を制御することで、ＬＥＤ４ａに対して供給される駆動電流レベルが、上記電流値制御端子ｔ１に供給される電流値制御信号の値で一定となるように制御を行う。